(57)【要約】【課題】  壁面に吸着で取り付けたフックを簡単に取り外すことの出来る使い勝手の良いマグネット付きフックを提供する【解決の手段】  物品を吊るすフック１付き台座２の裏側にマグネット３を吸着固定した金属ヨーク４を備えたマグネット付きフックにおいて、金属ヨーク４の端部を台座２の上部２ａに支軸５を支点に回動自在に装備し、更に、台座２の裏面には、金属ヨーク４を吸着保持可能な止め板６を貼り合わせるか、或いは、支軸５に戻しスプリング６ａを設け、前記台座２の裏面に金属ヨーク４を接合自在の構成にする。また、前記するマグネット３に滑り止めとして、スチレン系、ウレタン系等の粘着ゲル素材シートＡで巻き付け、これらの巻き付け端末Ａａを金属ヨーク４とマグネット３の間に挟着した構成にする。【選択図】図１
2010131346.tif 000002
【特許請求の範囲】
【請求項１】
物品を吊るすフック１付き台座２の裏側にマグネット３を吸着固定した金属ヨーク４を備えたマグネット付きフックにおいて、金属ヨーク４の端部を台座２の上部２ａに支軸５を支点に回動自在に装備し、更に、台座２の裏面には、金属ヨーク４を吸着保持可能な止め板６を貼り合わせるか、或いは、支軸５に戻しスプリング６ａを設け、当該台座２の裏面に金属ヨーク４を接合自在にしたことを特徴とするマグネット付きフック。
【請求項２】
前記するマグネット３に滑り止めとして、スチレン系、ウレタン系等の粘着ゲル素材シートＡで巻き付け、これらの巻き付け端末Ａａを金属ヨーク４とマグネット３の間に挟着したことを特徴とする請求項１記載マグネット付きフック。
【発明の詳細な説明】
【技術分野】
【０００１】この発明は、冷蔵庫の金属塗装面や、机や、キャビネットや、棚や、ホーロー流し台等の鉄板で構成する家庭用具等の壁面に、マグネットの磁気的吸着を利用し、物品を掛ける為のマグネット付きのフックを壁面に取り付けた後に取り外す際に、弱い操作力で取り外しの出来る構成でなる、マグネット付きフックに関する。
【背景技術】
【０００２】  此の種の従来の技術として知られるマグネット付きフックは、マグネット取付本体にマグネットを固定し、該マグネット取付本体に支軸を設け、其れを支点に回動自在に取り付けられると共に、吊下具（フック）を取り付けた吊下具取付本体と、前記支軸の上方に位置して、吸着時に壁面に近接するように吊下具取付本体に設けられたローラー状の壁当てとを備えている。これらの磁性吊下具（マグネット付きフック）は、吊下具を手前に持ち上げると、主軸を支点としたテコの原理により、所定のモーメント力を持ってローラー状の壁当てが回転しながら壁面を押し圧し、その結果、マグネット取付本体を壁面より引き離す力が作用するため、壁面に磁気吸着で保持された磁性吊下具を壁面より取り外すことができる構成作用からなる。【０００３】  そしてまた、この種のマグネットの吸着保持力は、壁面での平面滑り保持力が落ちることで、前記吊下具に滑り止めシートを貼り付け、その摩擦抵抗力で、吊下具に物品を吊るした時の過荷重で下方向にマグネットがズレ落ちるのを防ぐ構成を付帯している。【０００４】
【特許文献１】特開２００５−２１８４８７号公報
【発明の開示】
【発明が解決しようとする課題】
【０００５】  しかしながら、上記する従来技術での磁性吊下具は、吸着壁面から取り外すのに、壁当てに支点が近く、その支点から指で摘んで持ち上げる吊下具までの距離が長くなり、相互のテコ比が大きく、壁当てを動かしてマグネットを壁面より引き離すのに吊下具を大きく動かさなければならず、強磁性体のマグネットを使い吸着力を強くすればするほど、物品を吊るす耐荷重を大きくする事が出来るが、吊下具の持ち上げストロークが益々大きくなることで吊下具が本体に限りなく接近し、摘んだ指先を挟んでしまう等の課題が残る。【０００６】  次ぎに、この種の金属壁面に磁気的吸着でなる磁性吊下具は、平面滑りの保持力に弱く、物品を吊るした下向きの滑り耐荷重はかなり低下する事で、平面滑り防止の保持力を増強するのに、マグネットに近いスペースにゴム質のシート等を貼り付けるが、本体との接着強度不足による剥がれや捲くれ等が課題となりまた、繰り返し磁性吊下具の取り外しでゴムのクッション性の劣化によって摩擦抵抗が落ち滑り易くなる等の課題が残る。
【課題を解決するための手段】
【０００７】  この発明はかかる課題を解決する為に、請求項１での発明は図１、図２（Ａ），（Ｂ）で述べる様に、物品を吊るすフック１付き台座２の裏面にマグネット３を固定した金属ヨーク４を備えたマグネット付きフックにおいて、金属ヨークの４の端部を台座２の上部２ａに支軸５を支点に回動自在に装備し、更に、台座２の裏面には、金属ヨーク４を吸着保持可能な止め板６を貼り合わせるか、或いは、支軸５に戻しスプリング６ａを設け、前記台座２の裏面に金属ヨーク４を接合自在にした構成にする。また請求項２での発明は前記するマグネット３に滑り止めとして、スチレン系、ウレタン系等の粘着ゲル素材シートＡで巻き付け、これらの巻き付け端末Ａａを金属ヨーク４とマグネット３の間に挟着する構成にする。
【発明の効果】
【０００８】  本発明は、上述の通り構成作用するので次の優れた効果を奏する。即ち、請求項１での効果は、取り付けたマグネット付きフックを取り外すのに、フックと台座が同時に持ち上がり支点と持ち上げるフック間が最長になることで、弱い操作力でマグネットの取り外せが出来、且つ、摘んだ指先と台座が狭まる事がないので、指先が台座に挟まる事のないマグネット付きフックを提供出来る。また、請求項２での効果は、マグネットを薄い粘着ゲル素材シートで包み込み取り付け構成の為、取り外しに、粘着ゲル素材シートの剥がれや，破損のない横滑りに強い、マグネット付きフックを提供出来る。
【発明を実施するための最良の形態】
【０００９】  以下に図示の実施例に基づいて本発明を更に詳細に説明する。即ち、図１は本発明での第１実施例に基づく一部断面での背面から見た全体斜視図で、図２（Ａ）は同じく本発明での第１実施例を示しての壁面に装着使用での縦断面図で、図２（Ｂ）は壁面から取り外し説明での側面図である。【００１０】  家庭で衣服などや物品を掛けるのに使うフックは、取り付ける壁面が金属に出来ているスペース面に装着するのにマグネット付きフックを使う事になるが、例えば、冷蔵庫の金属塗装面や、机や、キャビネットや、棚や、ホーロー流し台等の鉄板製の家庭常備品の壁面に、マグネット３の磁気的吸着を利用して取り付けるもので、合成樹脂製の本体は物品を吊るす先の尖ったフック１を持つ台座２からなり、其の裏面には、１枚のマグネットの吸い付く薄い鉄板等でなる止め板６は両面テープ等で接着固定されている。【００１１】  そして、マグネット３は、フェライト磁石に比べて強力な磁性体で知られる板状の矩形状でなるネオジウム等の希土類磁石を使い、これら面がＮ極、Ｓ極に着磁されてコの字形状の薄い鉄板の金属ヨーク４の内側にマグネット面が磁気的吸着で一体化構成とする。【００１２】  このマグネット３付きの磁性体でなる金属ヨーク４は、コの字形状の曲げ部縁面をマグネット３の面よりやや高めに形成し、マグネットの発生した磁力線を金属ヨーク４の板厚の縁面上に高密度に磁力を集中させることにより、金属ヨーク４の縁面が壁面に磁気的吸着力が働く構成とし、更に、これらのマグネット３を一体化した金属ヨーク４には、その端部の両方の曲げ部の側面に小穴を設け、その小穴に程良い勘合で貫通する金属丸棒の支軸５を使って回動自在に軸支し、台座２のフック２に対向する上部２ａに位置して、該支軸５の両端を固定することで、金属ヨーク４が台座２の裏面に配置される。【００１３】  前記回動自在でなる金属ヨーク４はマグネット３の磁場を受けて台座２の裏面に貼り付けた金属の止め板６に磁気的吸着力で保持されるが、この吸着力は、壁面に吸着する金属ヨーク４の持つ磁力の数分にＩといった比較的弱い磁力で止め板６との着脱が繰り返す構成にするか、或いは、支軸５に戻しスプリング６ａを設け、前記台座２の裏面に金属ヨーク４を接合自在の構成にし、壁面に金属ヨーク４が吸着では、台座２の裏面と金属ヨーク４面とが常時接合が保持される構成である。【００１４】  図２（Ａ）で述べる様に、台座２の上部裏面で支軸５を支点に回動する金属ヨーク４は、其れに一体化するマグネット３の磁場を受け台座２の背面に貼り付けた止め板６に吸い付いたままで、或いは、戻しスプリング６ａのバネ圧作用で、金属ヨーク４は台座２の裏面に一体化状態で、壁面に金属ヨーク４の曲げ部縁面が矢印方向に強く吸着し取り付けられる。【００１５】  そして、図２（Ｂ）で述べる様に、壁面に貼り付けたマグネット付きフックを取り外すのに、台座２の下部に突き出す物品を吊るすフック１を指先で摘んで、矢印方向に持ち上げることで、台座２は徐々に傾斜し、支軸５を支点として壁面に吸着する金属ヨーク４が矢印の力を受けて傾斜しながら剥離を続け、フック１が大きく傾斜する事で壁面よりマグネット付きフックを取り外す事が出来る。【００１���】  次に、図３は本発明での第２実施例に基づく分解での背面から見た全体斜視図である。前記するマグネット３に滑り止めとして、スチレン系、ウレタン系等の自己接着性の粘着ゲル素材シートＡを巻き付け、これらの巻き付け端末Ａａを金属ヨーク４とマグネット３の間に貼り付けと吸着での２重固着での挟着で、端末Ａａからのほどけを完全に防止する構成で、これらの、金属ヨーク４の縁面内に設けたマグネット３面に巻き付けた粘着ゲル素材シートＡの外面が僅かに縁面より飛び出す高さに設定することで、壁面には磁気力の吸着と同時にクッション性のある接着貼り付けでの横滑りに強い構成を具現化している。【００１７】  これらの滑り止めは、弾性を有し、且つ、耐候性、耐磨耗性、着脱の繰り返しでゲル接着性の強度低下の少ない素材が選択されるが、単なるクッション性の良いゴム材での摩擦抵抗を利用しての効果も選択とするのも良いが、本発明は自己接着性の素材を使っての横滑りの防止に採用しての構成とするが、其の限りでなく、継ぎ目をマグネット３面と金属ヨーク４の間に設定する構成にする事で、単純にシート状の素材を平面に貼り付けての弱点となるはがれや、破損等の欠陥を改善しての構成である。
【図面の簡単な説明】
【００１８】
【図１】  本発明に係わる第１実施例での一部断面での裏面から見た斜視図である。
【図２】  図中（Ａ）は第１実施例での取り付け状態での縦断面図である。図中（Ｂ）は第１実施例での取り外し状態での側面図である。
【図３】  本発明に係わる第２実施例での裏面から見た分解を示しての斜視図である。
【符合の説明】
【００１９】      Ａ    粘着ゲル素材シート
Ａａ  巻き付け端末
１    フック
２    台座
２ａ  上部
３    マグネット
４    金属ヨーク
５    支軸
６    止め板
６ａ  戻しスプリング
【図１】
2010131346.tif 000003
【図２】
2010131346.tif 000004
【図３】
2010131346.tif 000005